【手続補正書】
【提出日】令和1年8月20日(2019.8.20)
【手続補正１】
【補正対象書類名】特許請求の範囲
【補正対象項目名】全文
【補正方法】変更
【補正の内容】
【特許請求の範囲】
【請求項１】
美容室に設置されている美容室端末装置と、
ユーザが所持するユーザ端末装置とがデータ通信することが可能に接続されており、
前記ユーザ端末装置で選択を受け付けたヘアスタイルを実現できる美容室を選択することが可能な美容室支援システムにおいて、
前記美容室端末装置の設置場所に関する情報を複数の前記ユーザ端末装置で共有しておき、
前記ユーザ端末装置は、
ユーザ自身の顔を撮像する撮像手段と、
撮像された顔の画像データを、複数のヘアスタイルに関する情報と合成して合成画像を生成する合成画像生成手段と、
生成された合成画像を選択可能に表示する表示手段と、
複数の合成画像から一の合成画像の選択を受け付ける画像選択受付手段と、
選択を受け付けた合成画像及び前記ユーザ端末装置を識別する情報を前記美容室端末装置へ送信するヘアスタイル情報送信手段と
を備え、
前記美容室端末装置は、
選択を受け付けた合成画像及び前記ユーザ端末装置を識別する情報を受信するヘアスタイル情報受信手段と、
受信した前記ユーザ端末装置を識別する情報に対応するユーザ端末装置を所持するユーザが来店したか否かを判断する判断手段と、
前記ユーザ端末装置を所持するユーザが来店したと判断した場合には、前記ユーザ端末装置に所定のポイントを累積付与するポイント付与手段と
を有することを特徴とする美容室支援システム。
【請求項２】
前記美容室端末装置は、該美容室端末装置と前記ユーザ端末装置との間で前記ヘアスタイルに関する情報を同期する同期手段を備えることを特徴とする請求項１に記載の美容室支援システム。
【請求項３】
前記美容室端末装置は、
新たなヘアスタイルに関する情報の入力を受け付けるヘアスタイル情報受付手段を備え、
前記同期手段は、該美容室端末装置と前記ユーザ端末装置との間で、入力を受け付けた新たなヘアスタイルに関する情報を同期することを特徴とする請求項２に記載の美容室支援システム。
【請求項４】
前記美容室端末装置は、
選択を受け付けた合成画像の基礎となったヘアスタイルに関する情報で特定されたヘアスタイルを具現化する方法に関する情報を記憶する情報記憶手段と、
選択を受け付けた合成画像の基礎となったヘアスタイルに関する情報に対応する前記ヘアスタイルを具現化する方法に関する情報を表示する情報表示手段と
を備えることを特徴とする請求項１乃至３のいずれか一項に記載の美容室支援システム。
【請求項５】
前記ユーザ端末装置の表示手段は、複数のヘアスタイルに関する合成画像を並列に一括表示する一括表示手段を備えることを特徴とする請求項１乃至４のいずれか一項に記載の美容室支援システム。
【請求項６】
前記ユーザ端末装置は、選択を受け付けた合成画像に対応付けて、前記美容室に関する情報を検索した結果を表示する美容室情報表示手段を備えることを特徴とする請求項１乃至５のいずれか一項に記載の美容室支援システム。
【請求項７】
美容室に設置されている美容室端末装置と、
ユーザが所持するユーザ端末装置とがデータ通信することが可能に接続されており、
前記ユーザ端末装置で選択を受け付けたヘアスタイルを実現できる美容室を選択することが可能な美容室支援システムで実行することが可能な美容室支援方法において、
前記美容室端末装置の設置場所に関する情報を複数の前記ユーザ端末装置で共有しておき、
前記ユーザ端末装置は、
ユーザ自身の顔を撮像する工程と、
撮像された顔の画像データを、複数のヘアスタイルに関する情報と合成して合成画像を生成する工程と、
生成された合成画像を選択可能に表示する工程と、
複数の合成画像から一の合成画像の選択を受け付ける工程と、
選択を受け付けた合成画像及び前記ユーザ端末装置を識別する情報を前記美容室端末装置へ送信する工程と
を含み、
前記美容室端末装置は、
選択を受け付けた合成画像及び前記ユーザ端末装置を識別する情報を受信する工程と、
受信した前記ユーザ端末装置を識別する情報に対応するユーザ端末装置を所持するユーザが来店したか否かを判断する工程と、
前記ユーザ端末装置を所持するユーザが来店したと判断した場合には、前記ユーザ端末装置に所定のポイントを累積付与する工程と
を含むことを特徴とする美容室支援方法。
【請求項８】
前記美容室端末装置は、該美容室端末装置と前記ユーザ端末装置との間で前記ヘアスタイルに関する情報を同期する工程を含むことを特徴とする請求項７に記載の美容室支援方法。
【請求項９】
前記美容室端末装置は、
新たなヘアスタイルに関する情報の入力を受け付ける工程を含み、
該美容室端末装置と前記ユーザ端末装置との間で、入力を受け付けた新たなヘアスタイルに関する情報を同期することを特徴とする請求項８に記載の美容室支援方法。
【請求項１０】
前記美容室端末装置は、
選択を受け付けた合成画像の基礎となったヘアスタイルに関する情報で特定されたヘアスタイルを具現化する方法に関する情報を記憶する工程と、
選択を受け付けた合成画像の基礎となったヘアスタイルに関する情報に対応する前記ヘアスタイルを具現化する方法に関する情報を表示する工程と
を含むことを特徴とする請求項７乃至９のいずれか一項に記載の美容室支援方法。
【請求項１１】
外部とデータ通信することが可能であり、選択を受け付けたヘアスタイルを実現できる美容室を選択することが可能な、ユーザが所持するユーザ端末装置において、
前記美容室に関する情報を前記美容室に設置されている端末装置と共有しておき、
ユーザ自身の顔を撮像する撮像手段と、
撮像された顔の画像データを、複数のヘアスタイルに関する情報と合成して合成画像を生成する合成画像生成手段と、
生成された合成画像を選択可能に表示する表示手段と、
複数の合成画像から一の合成画像の選択を受け付ける画像選択受付手段と、
選択を受け付けた合成画像及び前記ユーザ端末装置を識別する情報を前記美容室に設置されている端末装置へ送信するヘアスタイル情報送信手段と
を備え、
所持するユーザが前記美容室に来店した場合には、前記美容室に設置されている端末装置から所定のポイントを受信して累積することを特徴とするユーザ端末装置。
【請求項１２】
外部とデータ通信可能であり、美容室に設置されている美容室端末装置において、
設置場所に関する情報を複数の外部の端末装置で共有しておき、
前記外部の端末装置で選択を受け付けた合成画像及び前記外部の端末装置を識別する情報を受信するヘアスタイル情報受信手段と、
受信した前記外部の端末装置を識別する情報に対応する外部の端末装置を所持するユーザが来店したか否かを判断する判断手段と、
前記外部の端末装置を所持するユーザが来店したと判断した場合には、前記外部の端末装置に所定のポイントを累積付与するポイント付与手段と
を有することを特徴とする美容室端末装置。
【請求項１３】
外部とデータ通信することが可能であり、選択を受け付けたヘアスタイルを実現できる美容室を選択することが可能な、ユーザが所持するユーザ端末装置で実行することが可能なコンピュータプログラムにおいて、
前記美容室に関する情報を前記美容室に設置されている端末装置と共有しておき、
前記ユーザ端末装置を、
ユーザ自身の顔を撮像する撮像手段、
撮像された顔の画像データを、複数のヘアスタイルに関する情報と合成して合成画像を生成する合成画像生成手段、
生成された合成画像を選択可能に表示する表示手段、
複数の合成画像から一の合成画像の選択を受け付ける画像選択受付手段、及び
選択を受け付けた合成画像及び前記ユーザ端末装置を識別する情報を前記美容室に設置されている端末装置へ送信するヘアスタイル情報送信手段
として機能させ、
所持するユーザが前記美容室に来店した場合には、前記美容室に設置されている端末装置から所定のポイントを受信して累積する手段として機能させることを特徴とするコンピュータプログラム。
【請求項１４】
外部とデータ通信可能であり、美容室に設置されている美容室端末装置で実行することが可能なコンピュータプログラムにおいて、
設置場所に関する情報を複数の外部の端末装置で共有しておき、
前記美容室端末装置を、
前記外部の端末装置で選択を受け付けた合成画像及び前記外部の端末装置を識別する情報を受信するヘアスタイル情報受信手段、
受信した前記外部の端末装置を識別する情報に対応する外部の端末装置を所持するユーザが来店したか否かを判断する判断手段、及び
前記外部の端末装置を所持するユーザが来店したと判断した場合には、前記外部の端末装置に所定のポイントを累積付与するポイント付与手段
として機能させることを特徴とするコンピュータプログラム。